(57)【要約】  クロスキャリアスケジューリングを行う場合であってもＤＣＩの受信処理を適切に制御するために、本開示の一態様に係るユーザ端末は、所定セルにおいて他セルの下り共有チャネルのスケジューリングを指示する下り制御情報を受信する受信部と、前記所定セル用のサーチスペースに対応して設定される制御リソースセットと同じ構成に基づいて前記下り制御情報の受信を制御する制御部と、を有する。
2020053942.tif 000002
【特許請求の範囲】
【請求項１】
所定セルにおいて他セルの下り共有チャネルのスケジューリングを指示する下り制御情報を受信する受信部と、
前記所定セル用のサーチスペースに対応して設定される制御リソースセットと同じ構成に基づいて前記下り制御情報の受信を制御する制御部と、を有することを特徴とするユーザ端末。
【請求項２】
前記制御部は、前記他セルのサーチスペースに対して設定される下り制御チャネル候補数に基づいて、前記所定セルにおける下り制御情報の受信を制御することを特徴とする請求項１に記載のユーザ端末。
【請求項３】
前記所定セルのサーチスペースに対応する下り制御チャネル候補数と、前記他セルのサーチスペースに対応する下り制御チャネル候補数が独立に設定されることを特徴とする請求項１又は請求項２に記載のユーザ端末。
【請求項４】
前記制御部は、前記他セルのサーチスペースに対応して設定される制御リソースセットを無視する、又は前記他セルのサーチスペースに対応して制御リソースセットが設定されないと想定することを特徴とする請求項１から請求項３のいずれかに記載のユーザ端末。
【請求項５】
前記制御部は、前記他セルのサーチスペースに対応して設定される制御リソースセット構成が、前記所定セルのサーチスペースに対応して制御リソースセットの構成と同じであると想定することを特徴とする請求項１から請求項３のいずれかに記載のユーザ端末。
【請求項６】
所定セルにおいて他セルの下り共有チャネルのスケジューリングを指示する下り制御情報を受信する工程と、
前記所定セル用のサーチスペースに対応して設定される制御リソースセットと同じ構成に基づいて前記下り制御情報の受信を制御する工程と、を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、下り制御チャネル（例えば、ＰＤＣＣＨ：Physical  Downlink  Control  Channel）を介して伝送される下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、ＮＲという）では、制御リソースセットの所定範囲（例えば、サーチスペース）において所定数の下り制御チャネル候補（PDCCH  candidate）又は下り制御チャネル候補のセットをモニタしてＤＣＩを検出することが検討されている。例えば、ＵＥは、設定されたサーチスペースに関連付けられた制御リソースセットにおいてＤＣＩ（又は、ＰＤＣＣＨ）の受信を制御する。【０００７】
また、ＮＲでは、異なるキャリア間でのスケジューリング（クロスキャリアスケジューリング）がサポートされることが検討されている。クロスキャリアスケジューリングを適用する場合、所定セルで送信されるＤＣＩを利用して他セルの物理共有チャネルのスケジューリングが行われる。この場合、所定セルにおいて他セルのスケジューリングに利用されるＤＣＩの受信処理（例えば、モニタリング）をどのように制御するかについて十分に検討されていない。【０００８】
本開示はかかる点に鑑みてなされたものであり、クロスキャリアスケジューリングを行う場合であってもＤＣＩの受信処理を適切に制御可能なユーザ端末及び無線通信方法を提供することを目的の一つとする。
【課題を解決するための手段】
【０００９】
本開示の一態様に係るユーザ端末は、所定セルにおいて他セルの下り共有チャネルのスケジューリングを指示する下り制御情報を受信する受信部と、前記所定セル用のサーチスペースに対応して設定される制御リソースセットと同じ構成に基づいて前記下り制御情報の受信を制御する制御部と、を有することを特徴とする。
【発明の効果】
【００１０】
本開示の一態様によれば、クロスキャリアスケジューリングを行う場合であってもＤＣＩの受信処理を適切に制御できる。
【図面の簡単な説明】
【００１１】
【図１】図１は、ＰＤＣＣＨ設定情報内のサーチスペース設定情報の一例を示す図である。
【図２】図２は、クロスキャリアスケジューリングを適用する場合のサーチスペース及びＰＤＣＣＨ候補数の設定の一例を示す図である。
【図３】図３は、クロスキャリアスケジューリングの一例を示す図である。
【図４】図４は、第１の態様におけるクロスキャリアスケジューリングを適用する場合のサーチスペース及びＰＤＣＣＨ候補数の設定の一例を示す図である。
【図５】図５は、第２の態様におけるクロスキャリアスケジューリングを適用する場合のサーチスペース及びＰＤＣＣＨ候補数の設定の一例を示す図である。
【図６】図６は、本実施の形態に係る無線通信システムの概略構成の一例を示す図である。
【図７】図７は、本実施の形態に係る無線基地局の全体構成の一例を示す図である。
【図８】図８は、本実施の形態に係る無線基地局の機能構成の一例を示す図である。
【図９】図９は、本実施の形態に係るユーザ端末の全体構成の一例を示す図である。
【図１０】図１０は、本実施の形態に係るユーザ端末の機能構成の一例を示す図である。
【図１１】図１１は、本実施の形態に係る無線基地局及びユーザ端末のハードウェア構成の一例を示す図である。
【発明を実施するための形態】
【００１２】
（サーチスペース）
ＮＲでは、ユーザ端末（ＵＥ：User  Equipment）は、一以上のサーチスペース（ＳＳ）のセット（サーチスペースセット）をモニタリング（ブラインド復号）してＤＣＩを検出する。サーチスペースセットは、下り制御チャネル（例えば、ＰＤＣＣＨ：Physical  Downlink  Control  Channel）の一以上の候補（candidate）（ＰＤＣＣＨ候補）のセットを含んで構成される。本明細書において、「サーチスペースセット」と「サーチスペース」とは互いに言い換えられてもよい。
【００１３】
サーチスペースセットには、一以上のユーザ端末に共通の（セル固有の）ＤＣＩの監視に用いられるサーチスペースセット（共通サーチスペースセット（ＣＳＳ：Common  Search  Space）セット）と、ユーザ端末固有のＤＣＩの監視に用いられるサーチスペースセット（ユーザ固有サーチスペース（ＵＳＳ：User-specific  Search  Space）セット）とが含まれてもよい。
【００１４】
サーチスペースセット内の各ＰＤＣＣＨ候補は、アグリゲーションレベルに応じた数の所定のリソース単位で構成される。当該所定のリソース単位は、制御チャネル要素（ＣＣＥ：Control  Channel  Element）、一以上のＣＣＥを含むＣＣＥグループ等であってもよい。各ＣＣＥは、一以上のリソース要素（ＲＥ：Resource  Element）、一以上のリソース要素グループ（ＲＥＧ：Resource  Element  Group）又は一以上のＲＥＧバンドル（ＲＥＧグループ）等で構成されてもよい。なお、ＲＥＧは、一以上のＲＥを含み、ＲＥＧバンドルは、一以上のＲＥＧを含んでもよい。
【００１５】
例えば、アグリゲーションレベルが１、２、４、８又は１６の場合、各ＰＤＣＣＨ候補は、それぞれ、１、２、４、８又は１６個の連続するリソース単位（例えば、ＣＣＥ）で構成されてもよい。
【００１６】
また、サーチスペース（又はサーチスペースセット）には、制御リソースセット（ＣＯＲＥＳＥＴ：COntrol  REsource  SET）が関連付けられてもよい。ＣＯＲＥＳＥＴは、所定の周波数領域リソース（例えば、所定数のリソースブロック（物理リソースブロック（ＰＲＢ：Physical  Resource  Block）））と時間領域リソース（例えば、所定数のシンボル）を含んで構成されてもよい。
【００１７】
ＣＯＲＥＳＥＴｐに関連付けられるサーチスペースセットは、当該サーチスペースセット内の一以上のＰＤＣＣＨ候補に対応するＣＣＥを用いて規定されてもよい。例えば、例えば、サーチスペースセットｓは、以下の式１で示されるインデックス（インデックス番号、インデックス値）のＣＣＥで構成されてもよい。
【００１８】
【数１】
2020053942.tif 000003
【００１９】
式１において、Ｙｐ，ｎμｓ，ｆは、所定のパラメータであり、例えば、ＣＳＳセットでは０であり、ＵＳＳセットでは、無線ネットワーク一時識別子（ＲＮＴＩ：Radio  Network  Temporary  Identifier）に基づいて決定されてもよい。ＮＣＣＥ，ｐは、ＣＯＲＥＳＥＴｐ内のＣＣＥの数である。
【００２０】
ｎＣＩは、クロスキャリアスケジューリングに関する設定情報（クロスキャリアスケジューリング設定情報、CrossCarrierSchedulingConfig等ともいう）が設定（configure）される場合、当該キャリア識別（ＣＩ：Carrier  Indicator）フィールドの値である。一方、当該クロスキャリアスケジューリング設定情報が設定されない場合（同一キャリア内のスケジューリングの場合）又はＣＳＳセットの場合、０である。
【００２１】
なお、クロスキャリアスケジューリング設定情報は、例えば、上位レイヤシグナリングにより基地局からＵＥに通知されてもよい。ここで、上位レイヤシグナリングは、例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング（例えば、ＭＡＣ制御要素（ＭＡＣ  ＣＥ：MAC  Control  Element））、その他の信号又はこれらの組み合わせによって実施されてもよい。
【００２２】
ｍｓ，ｎＣＩは、０，…，Ｍｐ，ｓ，ｎＣＩ（Ｌ）−１である。Ｍｐ，ｓ，ｎＣＩ（Ｌ）は、ｎＣＩ及びサーチスペースセットｓに対応するサービングセル（セル、キャリア、コンポーネントキャリア（ＣＣ））のアグリゲーションレベルＬについてＵＥがモニタリングするように設定されるＰＤＣＣＨ候補の数である。
【００２３】
Ｍｐ，ｓ，ｍａｘ（Ｌ）は、ＣＳＳセットについてはＭｐ，ｓ，０（Ｌ）であり、ＵＳＳセットについては、ＣＯＲＥＳＥＴｐ内のサーチスペースセットｓのアグリゲーションレベルについて設定される全てのｎＣＩの値の中で最大のＭｐ，ｓ，ｎＣＩ（Ｌ）であってもよい。
【００２４】
このように、ＵＥには、ｎＣＩに対応するサービングセルのアグリゲーションレベルＬ毎のＰＤＣＣＨ候補の数Ｍｐ，ｓ，ｎＣＩ（Ｌ）が設定される。ＵＥは、当該ＰＤＣＣＨ候補の数Ｍｐ，ｓ，ｎＣＩ（Ｌ）に基づいて決定されるサーチスペースセットについて、ＤＣＩをモニタリングする。
【００２５】
同一キャリア内のスケジューリングの場合、当該スケジューリングを行うセル（scheduling  cell）のアグリゲーションレベル毎のＰＤＣＣＨ候補の数は、サーチスペースセットに関する設定情報（サーチスペース設定情報、SearchSpace）内に含まれてもよい。当該サーチスペース設定情報は、ＰＤＣＣＨに関する設定情報（ＰＤＣＣＨ設定情報、PDCCH-Config）内に含まれてもよい。サーチスペース設定情報及びＰＤＣＣＨ設定情報の少なくとも一つは、上位レイヤシグナリングによりＵＥに通知されてもよい。
【００２６】
図１は、ＰＤＣＣＨ設定情報内のサーチスペース設定情報の一例を示す図である。図１に示すように、ＰＤＣＣＨ設定情報（PDCCH-Config）内には、所定数（例えば、最大１０個）のサーチスペース設定情報（SearchSpace）のリスト（サーチスペースリスト、SearchSpaceToAddModList）が含まれてもよい。なお、本設定情報は一例であり、この限りではない。例えばサーチスペースリストは１０個よりも多くても少なくてもよいし、サーチスペース設定情報（SearchSpace）の中には、図１と異なるパラメータが追加（またはパラメータが削除）されてもよいし、各パラメータの取り得る値やパラメータの形式が図１とは異なってもよい。
【００２７】
各サーチスペース設定情報（SearchSpace）は、サーチスペース（又はサーチスペースセット）の識別子（サーチスペースＩＤ、SearchSpaceID）、当該サーチスペースに関連付けられるＣＯＲＥＳＥＴの識別子（ＣＯＲＥＳＥＴ  ＩＤ、controlResourceSetId）、当該サーチスペースをモニタリングする周期及びオフセットを示す情報（monitoringSlotPeriodicityAndOffset）、当該サーチスペースの期間、スロット内のシンボル数（monitoringSymbolWithinSlot）、当該サーチスペースにおけるアグリゲーションレベル毎のＰＤＣＣＨ候補数（nofCandidates）の少なくとも一つを示す情報を含んでもよい。
【００２８】
ところで、複数のセル（又は、ＣＣ）を利用してＰＤＳＣＨを受信する場合（例えば、ＣＡ）、セル毎にサーチスペース設定情報を設定して各セルにおけるＰＤＳＣＨの受信処理（例えば、ＰＤＣＣＨ候補のモニタ等）を制御することが考えられる。この場合、各セルに対応するサーチスペース設定情報において、ＡＬ毎のＰＤＣＣＨ候補数を別々に（独立して）設定することが想定される。また、各セルのサーチスペースに対応する制御リソースセットが設定されてもよい。
【００２９】
例えば、第１のセルに対して設定されるサーチスペースと、第２のセルに対して設定されるサーチスペースについて、ＰＤＣＣＨ候補数（又は、各ＡＬにおけるＰＤＣＣＨ候補数）をそれぞれ別々に設定する。これにより、各セルのサーチスペース毎にＵＥがモニタするＰＤＣＣＨ候補数を柔軟に設定することが可能となる。なお、各セルに対して設定されるサーチスペースのインデックスは同じ（例えば、インデックスｓ（＃ｓ））であってもよいし、異なっていてもよい。
【００３０】
一方で、クロスキャリアスケジューリングが設定される場合、第２のセルにおけるＰＤＳＣＨのスケジューリングを指示するＤＣＩが第１のセルで送信されるケースも生じる。第１のセルは、スケジュールを行うセル又はスケジューリングセル（scheduling  cell）と呼ばれてもよく、第２のセルは、スケジュールされるセル又はスケジュールドセル（scheduled  cell）と呼ばれてもよい。
【００３１】
この場合、第１のセルにおいて、第２のセルのＰＤＳＣＨスケジュール用のＤＣＩ（第２のセル用ＤＣＩ）に対するモニタ等の受信処理を行う場合、どのように制御するかが問題となる。
【００３２】
ＵＥがセル毎にモニタするＰＤＣＣＨ候補数を柔軟に制御する（又は、ＰＤＣＣＨ候補数の増加を抑制する）観点からは、第１のセルにおいて、第２のセル用ＤＣＩの受信処理（モニタするＰＤＣＣＨ候補数等）は、第２のセルに対して設定されるサーチスペースに対応するＰＤＣＣＨ候補数に基づいて決定することが好ましい。
【００３３】
例えば、スケジュールドセル用のＤＣＩ検出において、当該スケジュールドセルのＢＷＰに設定されるサーチスペース＃ｓ構成に基づいて、スケジューリングセルのＢＷＰのサーチスペース＃ｓにおいてモニタする各ＡＬのＰＤＣＣＨ候補数を決定してもよい。これにより、クロスキャリアスケジューリングを行う場合であっても、スケジューリングセルにおいてＤＣＩを受信する場合に、セル毎にモニタするＰＤＣＣＨ候補数をそれぞれ設定することができる（図２参照）。
【００３４】
一方で、クロスキャリアスケジューリングを適用する場合、各サーチスペースに対応する制御リソースセットの構成（例えば、CORESET-specific  configuration）をどのように制御するかが問題となる。制御リソースセットの構成は、制御リソースセットの周波数領域の割当て（frequency-domain  RA）、シンボル数（number  of  symbols）、インターリーブの適用有無（interleaved/non-interleaved）、ＴＣＩ状態の設定有無（TCI-state  enabled/disabled）の少なくとも一つであってもよい。
【００３５】
例えば、第１のセルにおけるＰＤＳＣＨのスケジューリングを指示するＤＣＩが当該第１のセルで送信される場合を想定する。かかる場合、ＵＥは、第１のセルに対して設定されるサーチスペースに対応する制御リソースセットにおいて、サーチスペース（又は、ＰＤＣＣＨ候補）のモニタを行えばよい。
【００３６】
一方で、第２のセルにおけるＰＤＳＣＨのスケジューリングを指示するＤＣＩが当該第１のセルで送信される場合を想定する。かかる場合、第１のセルにおいて、第２のセル用のＤＣＩを受信する制御リソースセットをどのように設定するかが問題となる。例えば、第１のセルにおけるモニタにおいて、第２のセルに対して設定されるサーチスペースに対応する制御リソースセットの構成（例えば、第１のセル用の制御リソースセットと異なる構成）を適用する場合、当該制御リソースセットの構成が第１のセルで適切に適用できないおそれもある。
【００３７】
そこで、本発明者等は、クロスキャリアスケジューリングにおいて、スケジューリングセル用のサーチスペースに対応して設定される制御リソースセットと同じ構成に基づいて、スケジューリングセルにおいて送信されるスケジュールドセル用の下り制御情報の受信処理（例えば、モニタ）を制御することを着想した。
【００３８】
以下、本実施の形態について、図面を参照して詳細に説明する。以下に示す各態様はそれぞれ単独で適用してもよいし、適宜組み合わせて適用してもよい。なお、以下の説明において、クロスキャリアスケジューリング設定情報は、ServingCellConfig内のCrossCarrierSchedulingConfigであるものとするが、一例にすぎず、クロスキャリアスケジューリングに関する設定情報であれば、どのような情報であってもよい。
【００３９】
（第１の態様）
第１の態様では、クロスキャリアスケジューリングが設定される場合、ＵＥは、スケジュールされるセル（scheduled  cell）のサーチスペースに対応する制御リソースセットの構成として、スケジュールするセル（scheduling  cell）のサーチスペースに対応する制御リソースセットの構成を適用する。
【００４０】
図３は、第１のセル（以下、セル＃Ａとも記す）と第２のセル（以下、セル＃Ｂとも記す）間でクロスキャリアスケジューリングを適用する場合の一例を示している。セルは、ＣＣであってもよい。具体的に図３では、セル＃Ａにおいて送信される第１のＤＣＩ（ＤＣＩ＃１）が当該セル＃ＡのＰＤＳＣＨをスケジュール（セルフスケジューリング）する場合と、第２のＤＣＩ（ＤＣＩ＃２）がセル＃ＢのＰＤＳＣＨをスケジュール（クロスキャリアスケジューリング）する場合を示している。
【００４１】
ネットワーク（例えば、基地局）は、セル＃Ａまたはセル＃ＡのアクティブＤＬ  ＢＷＰにおけるサーチスペースを設定する。例えば、基地局は、上位レイヤシグナリング（例えば、ＲＲＣシグナリング）等を利用して、セル＃Ａに対応するサーチスペース設定情報をＵＥに送信する。サーチスペース設定情報には、サーチスペースのＩＤ（例えば、サーチスペース＃ｓ）、当該サーチスペースに関連付けられる所定制御リソースセットのＩＤ、当該サーチスペースをモニタリングする周期及びオフセットを示す情報（monitoringSlotPeriodicityAndOffset）、当該サーチスペースの期間、スロット内のシンボル数（monitoringSymbolWithinSlot）、当該サーチスペースにおけるアグリゲーションレベル毎のＰＤＣＣＨ候補数（nofCandidates）の少なくとも一つを示す情報を含んでもよい。
【００４２】
また、基地局は、上位レイヤシグナリング等を利用してサーチスペース＃ｓに対応する所定制御リソースセットの構成に関する情報（CORESET-specific  configuration）をＵＥに送信してもよい。制御リソースセットの構成は、制御リソースセットの周波数領域の割当て、シンボル数、インターリーブの適用有無、ＴＣＩ状態の設定有無の少なくとも一つであってもよい。
【００４３】
これにより、ＵＥは、セル＃Ａまたはセル＃ＡのアクティブＤＬ  ＢＷＰに設定されるサーチスペース＃ｓ、当該サーチスペースに対応する制御リソースセット、当該制御リソースセットの構成、サーチスペースにおいてモニタするＰＤＣＣＨ候補数等を認識できる。
【００４４】
ＵＥは、基地局から送信されるセル＃Ａまたはセル＃ＡのアクティブＤＬ  ＢＷＰに関連付けられたサーチスペース及び制御リソースセット構成に関する情報に基づいて、セル＃Ａまたはセル＃ＡのアクティブＤＬ  ＢＷＰのＰＤＳＣＨのスケジューリングに利用されるＤＣＩ（セル＃Ａ用ＤＣＩ）の受信処理を制御する（図４参照）。例えば、ＵＥは、セル＃Ａまたはセル＃ＡのアクティブＤＬ  ＢＷＰにおいて、基地局から設定された制御リソースセット内に配置されるサーチスペースに対して、当該サーチスペースに対応するＰＤＣＣＨ候補数分だけモニタを行うことによりセル＃Ａまたはセル＃ＡのアクティブＤＬ  ＢＷＰ用ＤＣＩの受信を試みる。
【００４５】
また、基地局は、セル＃Ｂまたはセル＃ＢのアクティブＤＬ  ＢＷＰにおけるサーチスペースを設定する。例えば、基地局は、上位レイヤシグナリング（例えば、ＲＲＣシグナリング）等を利用して、セル＃Ｂまたはセル＃ＢのアクティブＤＬ  ＢＷＰに対応するサーチスペース設定情報をＵＥに送信する。セル＃Ｂまたはセル＃ＢのアクティブＤＬ  ＢＷＰに対応するサーチスペース設定情報には、セル＃Ｂまたはセル＃ＢのアクティブＤＬ  ＢＷＰに対応するサーチスペースのＩＤ（例えば、サーチスペース＃ｓ）、当該サーチスペースに関連付けられる所定制御リソースセットのＩＤ、当該サーチスペースをモニタリングする周期及びオフセットを示す情報、当該サーチスペースの期間、スロット内のシンボル数、当該サーチスペースにおけるアグリゲーションレベル毎のＰＤＣＣＨ候補数の少なくとも一つを示す情報を含んでもよい。
【００４６】
セル＃Ｂまたはセル＃ＢのアクティブＤＬ  ＢＷＰに対して設定されるサーチスペースに対応するＰＤＣＣＨ候補数は、セル＃Ａまたはセル＃ＡのアクティブＤＬ  ＢＷＰに対して設定されるサーチスペースに対応するＰＤＣＣＨ候補数とは別々に（又は、独立して）設定してもよい。これによりセル＃Ａまたはセル＃ＡのアクティブＤＬ  ＢＷＰに対して設定されるサーチスペースに対応するＰＤＣＣＨ候補数とセル＃Ｂまたはセル＃ＢのアクティブＤＬ  ＢＷＰに対して設定されるサーチスペースに対応するＰＤＣＣＨ候補数とを、異なる値にも同じ値にも設定することができる。
【００４７】
ＵＥは、セル＃Ｂまたはセル＃ＢのアクティブＤＬ  ＢＷＰに対して設定されたサーチスペースに対応する制御リソースセットとして、セル＃Ａまたはセル＃ＡのアクティブＤＬ  ＢＷＰに対して設定されたサーチスペースに対応する制御リソースセットを関連付け（又は、参照し）てもよい。つまり、ＵＥは、セル＃Ａまたはセル＃ＡのアクティブＤＬ  ＢＷＰに対して設定されたサーチスペースに対応する制御リソースセットの構成に基づいて、セル＃Ｂまたはセル＃ＢのアクティブＤＬ  ＢＷＰ用ＤＣＩの受信処理を制御する（図４参照）。この場合、ＵＥは、インデックスが同じサーチスペース（例えば、サーチスペース＃ｓ）に対して、セル間で同じ制御リソースセット構成を適用してもよい。
【００４８】
例えば、ＵＥは、セル＃Ａまたはセル＃ＡのアクティブＤＬ  ＢＷＰにおいて、セル＃Ａまたはセル＃ＡのアクティブＤＬ  ＢＷＰのサーチスペースに対応する制御リソースセット内にセル＃Ｂまたはセル＃ＢのアクティブＤＬ  ＢＷＰに対して設定されるサーチスペースが配置されると想定する。そして、ＵＥは、セル＃Ｂまたはセル＃ＢのアクティブＤＬ  ＢＷＰに対して設定されるサーチスペースに対応するＰＤＣＣＨ候補数分だけモニタを行うことにより第２セル用ＤＣＩの受信を試みる。
【００４９】
セル＃Ｂまたはセル＃ＢのアクティブＤＬ  ＢＷＰに対して設定されるサーチスペースに対応する制御リソースセットは、設定されないように制御してもよい。この場合、基地局は、クロスキャリアスケジューリングにおいて他セルのＤＣＩでスケジューリングが制御されるセル（scheduled  cell）に設定するサーチスペースに対して関連する制御リソースセットを設定しないように制御してもよい。ＵＥは、クロスキャリアスケジューリングが設定される場合、スケジュールされるセルにおいてサーチスペースに対して関連する制御リソースセットが設定されないと想定してもよい。
【００５０】
あるいは、セル＃Ｂまたはセル＃ＢのアクティブＤＬ  ＢＷＰに対して設定されるサーチスペースに対応する制御リソースセットが設定される場合、ＵＥは、当該制御リソースセットを無視し、セル＃Ａのサーチスペースに対応する制御リソースセットに基づいて第２セル用ＤＣＩの受信処理を制御してもよい。
【００５１】
このようにスケジュールを行うセルとスケジュールされるセルにサーチスペース（例えば、インデックスが同じサーチスペース）がそれぞれ設定される場合、サーチスペースに対応する制御リソースセットの構成として同じ構成（例えば、スケジューリングセルに設定される制御リソースセットの構成）を適用する。これにより、クロスキャリアスケジューリングを適用する場合であっても、ＤＣＩの受信処理（例えば、ＰＤＣＣＨ候補のモニタ等）を適切に行うことができる。
【００５２】
また、クロスキャリアスケジューリングにおいて、各セルまたは各セルのアクティブＤＬ  ＢＷＰに設定されるサーチスペースに対応するＰＤＣＣＨ候補数に基づいて各セルに対するＤＣＩのモニタを制御することにより、セル毎または各セルのアクティブＤＬ  ＢＷＰ毎にＰＤＣＣＨ候補を柔軟に設定することが可能となる。
【００５３】
（第２の態様）
第２の態様では、クロスキャリアスケジューリングが設定される場合、スケジュールされるセル（scheduled  cell）のアクティブＤＬ  ＢＷＰのサーチスペースに対応する制御リソースセットと、スケジュールするセル（scheduling  cell）のアクティブＤＬ  ＢＷＰのサーチスペースに対応する制御リソースセットを同じ構成となるように設定する。
【００５４】
図３は、第１のセル（セル＃Ａ）またはセル＃ＡのアクティブＤＬ  ＢＷＰと第２のセル（セル＃Ｂ）またはセル＃ＢのアクティブＤＬ  ＢＷＰ間でクロスキャリアスケジューリングを適用する場合の一例を示している。セルは、ＣＣであってもよい。具体的に図３では、セル＃Ａまたはセル＃ＡのアクティブＤＬ  ＢＷＰにおいて送信される第１のＤＣＩ（ＤＣＩ＃１）が当該セル＃Ａまたはセル＃ＡのアクティブＤＬ  ＢＷＰのＰＤＳＣＨをスケジュール（セルフスケジューリング）する場合と、第２のＤＣＩ（ＤＣＩ
２）がセル＃Ｂまたはセル＃ＢのアクティブＤＬ  ＢＷＰのＰＤＳＣＨをスケジュール（クロスキャリアスケジューリング）する場合を示している。
【００５５】
ネットワーク（例えば、基地局）は、セル＃Ａとセル＃ＢまたはそれぞれのセルのアクティブＤＬ  ＢＷＰにおけるサーチスペースをそれぞれ設定する。例えば、基地局は、上位レイヤシグナリング（例えば、ＲＲＣシグナリング）等を利用して、各セルに対応するサーチスペース設定情報をＵＥにそれぞれ送信する。
【００５６】
サーチスペース設定情報には、サーチスペースのＩＤ（例えば、サーチスペース＃ｓ）、当該サーチスペースに関連付けられる所定制御リソースセットのＩＤ、当該サーチスペースをモニタリングする周期及びオフセットを示す情報（monitoringSlotPeriodicityAndOffset）、当該サーチスペースの期間、スロット内のシンボル数（monitoringSymbolWithinSlot）、当該サーチスペースにおけるアグリゲーションレベル毎のＰＤＣＣＨ候補数（nofCandidates）の少なくとも一つを示す情報を含んでもよい。
【００５７】
セル＃Ａまたはセル＃ＡのアクティブＤＬ  ＢＷＰに対して設定されるサーチスペースに対応するＰＤＣＣＨ候補数と、セル＃Ｂまたはセル＃ＢのアクティブＤＬ  ＢＷＰに対して設定されるサーチスペースに対応するＰＤＣＣＨ候補数とは別々に（又は、独立して）設定してもよい。
【００５８】
また、基地局は、上位レイヤシグナリング等を利用して各セルのサーチスペースに対応する所定制御リソースセットの構成に関する情報（CORESET-specific  configuration）をＵＥに送信してもよい。制御リソースセットの構成は、制御リソースセットの周波数領域の割当て、シンボル数、インターリーブの適用有無、ＴＣＩ状態の設定有無の少なくとも一つであってもよい。
【００５９】
これにより、ＵＥは、各セルに設定されるサーチスペース＃ｓ、当該サーチスペースに対応する制御リソースセット、当該制御リソースセットの構成、サーチスペースにおいてモニタするＰＤＣＣＨ候補数等を認識できる。
【００６０】
基地局は、セル＃Ａまたはセル＃ＡのアクティブＤＬ  ＢＷＰのサーチスペースに対応する制御リソースセットと、セル＃Ｂまたはセル＃ＢのアクティブＤＬ  ＢＷＰのサーチスペースに対応する制御リソースセットに対して同じ構成を設定する。ＵＥは、各セルのサーチスペース（例えば、インデックスが同じサーチスペース）に対して同じ制御リソースセット構成が設定されると想定してもよい。言い換えると、ＵＥは、各セルのサーチスペース（例えば、インデックスが同じサーチスペース）に対して異なる制御リソースセット構成は設定されないと想定してもよい。
【００６１】
ＵＥは、基地局から送信されるセル＃Ａまたはセル＃ＡのアクティブＤＬ  ＢＷＰに関連付けられたサーチスペース及び制御リソースセット構成に関する情報に基づいて、第１セル用ＤＣＩの受信処理を制御する（図５参照）。例えば、ＵＥは、セル＃Ａまたはセル＃ＡのアクティブＤＬ  ＢＷＰにおいて、セル＃Ａまたはセル＃ＡのアクティブＤＬ  ＢＷＰ用に設定される制御リソースセットの範囲内に配置されるサーチスペースに対して、当該サーチスペースに対応するＰＤＣＣＨ候補数分だけモニタを行うことにより第１セル用ＤＣＩの受信を試みる。
【００６２】
また、ＵＥは、基地局から送信されるセル＃Ｂまたはセル＃ＢのアクティブＤＬ  ＢＷＰに関連付けられたサーチスペース及び制御リソースセット構成に関する情報に基づいて、第２セル用ＤＣＩの受信処理を制御する（図５参照）。例えば、ＵＥは、セル＃Ａまたはセル＃ＡのアクティブＤＬ  ＢＷＰにおいて、セル＃Ｂまたはセル＃ＢのアクティブＤＬ  ＢＷＰ用に設定される制御リソースセットの範囲内に配置されるサーチスペースに対して、当該サーチスペースに対応するＰＤＣＣＨ候補数分だけモニタを行うことにより第２セル用ＤＣＩの受信を試みる。
【００６３】
このようにスケジュールを行うセルとスケジュールされるセルにサーチスペース（例えば、インデックスが同じサーチスペース）がそれぞれ設定される場合、各サーチスペースに対して同じ構成を有する制御リソースセットを設定する。これにより、クロスキャリアスケジューリングを適用する場合であっても、ＤＣＩの受信処理（例えば、ＰＤＣＣＨ候補のモニタ等）を適切に行うことができる。
【００６４】
また、クロスキャリアスケジューリングにおいて、各セルに設定されるサーチスペースに対応するＰＤＣＣＨ候補数に基づいて各セルに対するＤＣＩのモニタを制御することにより、セル毎にＰＤＣＣＨ候補を柔軟に設定することが可能となる。
【００６５】
なお、図５では、セル＃Ａとセル＃ＢのそれぞれのアクティブＤＬ  ＢＷＰに対して、制御リソースセットの構成に含まれる全てのパラメータ（例えば、制御リソースセットの周波数領域の割当て、シンボル数、インターリーブの適用有無、及びＴＣＩ状態の設定有無など）が同一となるように設定する場合を示したがこれに限られない。例えば、制御リソースセットの構成に含まれる一部のパラメータを同一に設定し、他のパラメータは別々に設定してもよい。これによりセル毎に制御リソースセットの構成を柔軟に制御可能となる。
【００６６】
（第３の態様）
第３の態様では、クロスキャリアスケジューリングが設定される場合に、クロスキャリアスケジューリング設定情報内にＡＬ毎のＰＤＣＣＨ候補数（例えば、nrofCandidates）に関する情報（又は、パラメータ）を含める。ＵＥは、クロスキャリアスケジューリング設定情報内に含まれるＰＤＣＣＨ候補数に基づいてスケジュールドセルにおけるＡＬ毎のＰＤＣＣＨ候補数を判断してもよい。
【００６７】
すなわち、クロスキャリアスケジューリングが設定される場合、サーチスペース設定情報内に含まれるＡＬ毎のＰＤＣＣＨ候補数を指定するパラメータは、スケジューリングセルのアクティブＤＬ  ＢＷＰに対してＰＤＳＣＨをスケジューリングするＰＤＣＣＨの候補をモニタリングする場合に用いる。一方で、スケジューリングセルと異なるスケジュールドセルのアクティブＤＬ  ＢＷＰに対してＰＤＳＣＨをスケジューリングするＰＤＣＣＨの候補をモニタリングする場合、クロスキャリアスケジューリング設定情報内にＡＬ毎のＰＤＣＣＨ候補数（例えば、nrofCandidates）に関する情報（又は、パラメータ）を用いる。
【００６８】
ＵＥは、基地局から送信されるクロスキャリアスケジューリング設定情報を受信した場合、当該設定情報に基づいてスケジュールドセルとなるセルＩＤと、当該スケジュールドセルに対して設定されるＡＬ毎のＰＤＣＣＨ候補数を決定してＤＣＩの受信を制御してもよい。基地局は、スケジュールドセルとなるセルＩＤとＡＬ毎のＰＤＣＣＨ候補数をクロスキャリアスケジューリング設定情報に含めてＵＥに送信してもよい。
【００６９】
あるいは、クロスキャリアスケジューリング設定情報内にスケジュールドセルのサーチスペースＩＤが設定され、当該サーチスペースＩＤに対してＡＬ毎のＰＤＣＣＨ候補数が設定されてもよい。この場合、当該サーチスペースＩＤに対して設定されるＡＬ毎のＰＤＣＣＨ候補数は、クロスキャリアスケジューリング設定情報内に設定されてもよいし、当該設定情報とは異なる情報要素（例えば、サーチスペースに関する情報要素）に設定されてもよい。
【００７０】
また、スケジュールドセルに対して設定されるクロスキャリアスケジューリング設定情報にスケジューリングセルのサーチスペースＩＤに関する情報を含めてもよい。
【００７１】
この場合、クロスキャリアスケジューリング設定情報に設定されるスケジュールドセルのＡＬ毎のＰＤＣＣＨ候補数は、当該クロスキャリアスケジューリング設定情報に含まれるサーチスペースＩＤに適用されてもよい。また、クロスキャリアスケジューリング設定情報に所定のサーチスペースＩＤが含まれる場合、当該ＩＤを有するサーチスペースのみでスケジュールドセル向けのＰＤＣＣＨ候補をモニタリングしてもよいし、当該ＩＤを有するサーチスペースのみ、スケジューリングセル向けのＰＤＣＣＨ候補数とは異なる候補数をクロスキャリアスケジューリング設定情報に設定できるものとしてもよい。これにより、より柔軟にクロスキャリアスケジューリング向けのＰＤＣＣＨ候補を設定することができる。
【００７２】
あるいは、クロスキャリアスケジューリング設定情報に設定されるスケジュールドセルのＡＬ毎のＰＤＣＣＨ候補数は、クロスキャリアスケジューリングが適用される場合のスケジューリングセルにおける全てのサーチスペースに対して適用されてもよい。これにより、サーチスペースＩＤを指定する必要がなくなるため、シグナリングオーバーヘッドを削減できる。
【００７３】
このように、クロスキャリアスケジューリング設定情報にＰＤＣＣＨ候補に関する情報を含めることにより、クロスキャリアスケジューリングを適用する場合に、スケジュールセルにおいてモニタするスケジュールドセル用のＰＤＣＣＨ候補数の通知を適切に行うことが可能となる。
【００７４】
（無線通信システム）
以下、本実施の形態に係る無線通信システムの構成について説明する。この無線通信システムでは、本開示の上記各実施の形態に係る無線通信方法のいずれか又はこれらの組み合わせを用いて通信が行われる。
【００７５】
図６は、本実施の形態に係る無線通信システムの概略構成の一例を示す図である。無線通信システム１では、複数のコンポーネントキャリア（キャリア又はセル）を一体としたキャリアアグリゲーション（ＣＡ）及び／又はデュアルコネクティビティ（ＤＣ）を適用することができる。
【００７６】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００７７】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００７８】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００７９】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。また、無線通信システム１は、同一のＲＡＴ内の複数の基地局間のデュアルコネクティビティ（例えば、ＭＮ及びＳＮの双方がＮＲの基地局（ｇＮＢ）となるデュアルコネクティビティ（ＮＮ−ＤＣ：NR-NR  Dual  Connectivity））をサポートしてもよい。
【００８０】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【００８１】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００８２】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００８３】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【００８４】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【００８５】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【００８６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００８７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００８８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００８９】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００９０】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００９１】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００９２】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００９３】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００９４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００９５】
＜基地局＞
図７は、本実施の形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００９６】
下りリンクによって基地局１０からユーザ端末２０に送信されるユーザデータは、上位局装置３０から伝送路インターフェース１０６を介してベースバンド信号処理部１０４に入力される。
【００９７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００９８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９９】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１００】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１０１】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１０２】
図８は、本実施の形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０１０３】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１０４】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１０５】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１０６】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１０７】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１０８】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１０９】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１１０】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１１１】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１１２】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１１３】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１１４】
測定部３０５は、受信した信号に関する測定を実施する。測定部３０５は、本開示に係る技術分野での共通認識に基づいて説明される測定器、測定回路又は測定装置から構成することができる。
【０１１５】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１１６】
なお、送受信部１０３は、所定セルにおいて他セルの下り共有チャネルのスケジューリングを指示する下り制御情報を送信する。
【０１１７】
制御部３０１は、所定セル用のサーチスペースに対応して設定する制御リソースセットと同じ構成に基づいて下り制御情報の送信を制御する。例えば、制御部３０１は、所定セル及び他セルにインデックスが同じサーチスペース（例えば、サーチスペース＃ｓ）を設定する場合、所定セル用のサーチスペース＃ｓに対応して設定する制御リソースセットと同じ構成に基づいて他セルのＰＤＳＣＨのスケジューリングを指示する下り制御情報の送信を制御する。
【０１１８】
制御部３０１は、他セルのサーチスペースに対して設定される下り制御チャネル候補数に基づいて、所定セルにおける下り制御情報の送信を制御してもよい。制御部３０１は、所定セルのサーチスペースに対応する下り制御チャネル候補数と、他セルのサーチスペースに対応する下り制御チャネル候補数を独立に設定してもよい。
【０１１９】
＜ユーザ端末＞
図９は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１２０】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１２１】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１２２】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１２３】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１２４】
図１０は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１２５】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１２６】
制御部４０１は、ユーザ端末２０全体の制御を実施する。制御部４０１は、本開示に係る技術分野での共通認識に基づいて説明されるコントローラ、制御回路又は制御装置から構成することができる。
【０１２７】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１２８】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１２９】
制御部４０１は、所定の識別子（例えば、Ｃ−ＲＮＴＩ、ＣＳ−ＲＮＴＩ、ＭＣＳ−Ｃ−ＲＮＴＩ、ＳＩ−ＲＮＴＩ、Ｐ−ＲＮＴＩ、ＲＡ−ＲＮＴＩ、ＴＣ−ＲＮＴＩ、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、ＴＰＣ−ＳＲＳ−ＲＮＴＩ、ＳＰ−ＣＳＩ−ＲＮＴＩの少なくとも一つ）でＣＲＣスクランブルされるＤＣＩの監視を制御してもよい。
【０１３０】
また、制御部４０１は、基地局１０から通知された各種情報を受信信号処理部４０４から取得した場合、当該情報に基づいて制御に用いるパラメータを更新してもよい。
【０１３１】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１３２】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１３３】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１３４】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１３５】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１３６】
測定部４０５は、受信した信号に関する測定を実施する。測定部４０５は、本開示に係る技術分野での共通認識に基づいて説明される測定器、測定回路又は測定装置から構成することができる。
【０１３７】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１３８】
なお、送受信部２０３は、所定セルにおいて他セルの下り共有チャネルのスケジューリングを指示する下り制御情報を受信する。
【０１３９】
制御部４０１は、所定セル用のサーチスペースに対応して設定される制御リソースセットと同じ構成に基づいて他セルの下り共有チャネルのスケジューリングを指示する下り制御情報の受信を制御してもよい。例えば、制御部４０１は、所定セル及び他セルにインデックスが同じサーチスペース（例えば、サーチスペース＃ｓ）が設定される場合、所定セル用のサーチスペース＃ｓに対応して設定する制御リソースセットと同じ構成に基づいて他セルのＰＤＳＣＨのスケジューリングを指示する下り制御情報の受信を制御する。
【０１４０】
制御部４０１は、他セルのサーチスペースに対して設定される下り制御チャネル候補数に基づいて、所定セルにおける下り制御情報の受信を制御してもよい。所定セルのサーチスペースに対応する下り制御チャネル候補数と、他セルのサーチスペースに対応する下り制御チャネル候補数が独立に設定されてもよい。
【０１４１】
制御部４０１は、他セルのサーチスペースに対応して設定される制御リソースセットを無視する、又は前記他セルのサーチスペースに対応して制御リソースセットが設定されないと想定してもよい。あるいは、制御部４０１は、他セルのサーチスペースに対応して設定される制御リソースセット構成が、所定セルのサーチスペースに対応して制御リソースセットの構成と同じであると想定してもよい。
【０１４２】
＜ハードウェア構成＞
なお、上記実施の形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１４３】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１４４】
例えば、本開示の一実施の形態における基地局、ユーザ端末などは、本開示の無線通信方法の処理を行うコンピュータとして機能してもよい。図１１は、一実施の形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１４５】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１４６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１４７】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１４８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１４９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１５０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１５１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１５２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３（２０３）は、送信部１０３ａ（２０３ａ）と受信部１０３ｂ（２０３ｂ）とで、物理的に又は論理的に分離された実装がなされてもよい。
【０１５３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１５４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１５５】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１５６】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１５７】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１５８】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１５９】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１６０】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１６１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１６２】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６３】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６４】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１６５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１６６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１６７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１６８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１６９】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１７０】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７１】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１７２】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１７３】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１７４】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１７５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７６】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１７７】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１７８】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７９】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１８０】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１８１】
情報の通知は、本開示において説明した態様／実施の形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１８２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０１８３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１８４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１８５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１８７】
本開示において使用する「システム」及び「ネットワーク」という用語は、互換的に使用され得る。
【０１８８】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０１８９】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１９０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１９１】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１９２】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９３】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１９４】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施の形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０１９５】
同様に、本開示におけるユーザ端末は、基地局で読み替えてもよい。この場合、上述のユーザ端末２０が有する機能を基地局１０が有する構成としてもよい。
【０１９６】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９７】
本開示において説明した各態様／実施の形態は単独で用いてもよいし、組み合わせて用いてもよいし、実行に伴って切り替えて用いてもよい。また、本開示において説明した各態様／実施の形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１９８】
本開示において説明した各態様／実施の形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０１９９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２００】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２０１】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２０２】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２０３】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２０４】
また、「判断（決定）」は、「想定する（assuming）」、「期待する（expecting）」、「みなす（considering）」などで読み替えられてもよい。
【０２０５】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２０６】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２０７】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２０８】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２０９】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２１０】
本開示において、例えば、英語でのa,  an及びtheのように、翻訳によって冠詞が追加された場合、本開示は、これらの冠詞の後に続く名詞が複数形であることを含んでもよい。
【０２１１】
以上、本開示に係る発明について詳細に説明したが、当業者にとっては、本開示に係る発明が本開示中に説明した実施の形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020053942.tif 000004
【図２】
2020053942.tif 000005
【図３】
2020053942.tif 000006
【図４】
2020053942.tif 000007
【図５】
2020053942.tif 000008
【図６】
2020053942.tif 000009
【図７】
2020053942.tif 000010
【図８】
2020053942.tif 000011
【図９】
2020053942.tif 000012
【図１０】
2020053942.tif 000013
【図１１】
2020053942.tif 000014
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
下りリンク制御情報をモニタするサーチスペースに関する第１の設定情報を受信する受信部と、
第１のセルにおける受信であって、第２のセルの物理下りリンク共有チャネルのスケジューリングを指示する特定の下りリンク制御情報の受信を、前記第１の設定情報に基づいて制御する制御部と、を有し、
前記第２のセルに対応する第２の設定情報において、前記第２のセルのサーチスペースに対応する制御リソースセットが設定されない
ことを特徴とする端末。
【請求項２】
前記制御部は、前記第１の設定情報において前記第１のセル用のサーチスペースに対応して設定される制御リソースセットに基づいて、前記特定の下りリンク制御情報の受信を制御する
ことを特徴とする請求項１に記載の端末。
【請求項３】
下りリンク制御情報をモニタするサーチスペースに関する第１の設定情報を受信する工程と、
第１のセルにおける受信であって、第２のセルの物理下りリンク共有チャネルのスケジューリングを指示する特定の下りリンク制御情報の受信を、前記第１の設定情報に基づいて制御する工程と、を有し、
前記第２のセルに対応する第２の設定情報において、前記第２のセルのサーチスペースに対応する制御リソースセットが設定されない
ことを特徴とする端末の無線通信方法。
【請求項４】
下りリンク制御情報をモニタするサーチスペースに関する第１の設定情報を送信する送信部と、
第１のセルにおいて前記第１の設定情報に基づいて端末において受信される、第２のセルの物理下りリンク共有チャネルのスケジューリングを指示する特定の下りリンク制御情報の送信を制御する制御部と、を有し、
前記制御部は、前記第２のセルに対応する第２の設定情報において、前記第２のセルのサーチスペースに対応する制御リソースセットを設定しない
ことを特徴とする基地局。
【請求項５】
基地局と端末とを有するシステムであって、
前記端末は、
下りリンク制御情報をモニタするサーチスペースに関する第１の設定情報を受信する受信部と、
第１のセルにおける受信であって、第２のセルの物理下りリンク共有チャネルのスケジューリングを指示する特定の下りリンク制御情報の受信を、前記第１の設定情報に基づいて制御する制御部と、を有し、
前記基地局は、
前記第１の設定情報を送信する送信部と、
前記第２のセルに対応する第２の設定情報において、前記第２のセルのサーチスペースに対応する制御リソースセットを設定しない制御部と、を有する
ことを特徴とするシステム。
【手続補正３】
【補正対象書類名】明細書
【補正対象項目名】０００９
【補正方法】変更
【補正の内容】
【０００９】
本開示の一態様に係る端末は、下りリンク制御情報をモニタするサーチスペースに関する第１の設定情報を受信する受信部と、第１のセルにおける受信であって、第２のセルの物理下りリンク共有チャネルのスケジューリングを指示する特定の下りリンク制御情報の受信を、前記第１の設定情報に基づいて制御する制御部と、を有し、前記第２のセルに対応する第２の設定情報において、前記第２のセルのサーチスペースに対応する制御リソースセットが設定されないことを特徴とする。
【国際調査報告】
2020053942.tif 000015
2020053942.tif 000016
2020053942.tif 000017
2020053942.tif 000018